(57)【要約】【課題】被焼却物を燃焼室内まで確実に投入するとともに、ダイオキシン類などの有害物質の外部への漏れを防止することができる焼却炉の被焼却物投入装置を提供すること。【解決手段】燃焼室１の側部に開閉式の投入口２を形成した焼却炉の被焼却物投入装置において、投入口２を覆う筒状のフード部３を備え、このフード部３の少なくとも一部の底板４ａを可動として燃焼室１内まで移動可能に設けるとともに、底板４，４ａ上に載置されている被焼却物Ｗを燃焼室１内に押し込むプッシャ５を設ける。【選択図】  図１
2004150678.tif 000002
【特許請求の範囲】
【請求項１】
燃焼室の側部に開閉式の投入口を形成した焼却炉の被焼却物投入装置において、前記投入口を覆う筒状のフード部を備え、該フード部の少なくとも一部の底板を可動として燃焼室内まで移動可能に設けるとともに、該底板上に載置されている被焼却物を燃焼室内に押し込むプッシャを設けたことを特徴とする焼却炉の被焼却物投入装置。
【請求項２】
投入口を覆う筒状のフード部の側方に被焼却物を移送するコンベアを並設するとともに、該コンベア上に載置されている被焼却物をフード部内に押し込むプッシャを設けたことを特徴とする請求項１記載の焼却炉の被焼却物投入装置。
【発明の詳細な説明】
【０００１】
【発明の属する技術分野】
本発明は、焼却炉の被焼却物投入装置に関し、特に、被焼却物を燃焼室内まで確実に投入するとともに、ダイオキシン類などの有害物質の外部への漏れを防止することができる焼却炉の被焼却物投入装置に関するものである。
【０００２】
【従来の技術】
小型焼却炉として、固定床方式の焼却炉が多数用いられているが、これらの焼却炉への被焼却物の投入方法として、従来、種々の型式のものが実施されている。
例えば、燃焼室の側部に開閉式の投入口を形成した焼却炉においては、ダイオキシン類などの有害物質の外部への漏れを防止することを目的として、投入口を筒状のフード部で覆う構造のものがあるが、この種の焼却炉においては、投入口からプッシャ等を用いて被焼却物を燃焼室内に押し込むようにしていた。
【０００３】
【発明が解決しようとする課題】
しかしながら、上記従来の焼却炉では、被焼却物を燃焼室内に円滑に投入することが困難で、特に、被焼却物が合成樹脂等の熱で溶融するものであったり、合成樹脂製の袋に入れられている場合は、高温となる投入口の周縁に接触することによって、合成樹脂等が溶融し、投入口の周縁にこびりついて焦げ、投入口の扉体の開閉動作に支障を来したり、合成樹脂製の袋が破れ、内容物がフード部に散乱する等の問題があった。
【０００４】
本発明は、上記従来の焼却炉が有する問題点に鑑み、被焼却物を燃焼室内まで確実に投入するとともに、ダイオキシン類などの有害物質の外部への漏れを防止することができる焼却炉の被焼却物投入装置を提供することを目的とする。
【０００５】
【課題を解決するための手段】
上記目的を達成するため、本発明の焼却炉の被焼却物投入装置は、燃焼室の側部に開閉式の投入口を形成した焼却炉の被焼却物投入装置において、前記投入口を覆う筒状のフード部を備え、該フード部の少なくとも一部の底板を可動として燃焼室内まで移動可能に設けるとともに、該底板上に載置されている被焼却物を燃焼室内に押し込むプッシャを設けたことを特徴とする。
【０００６】
この焼却炉の被焼却物投入装置は、フード部の少なくとも一部の底板を可動として燃焼室内まで移動可能に設けるとともに、該底板上に載置されている被焼却物を燃焼室内に押し込むプッシャを設けたことから、ダイオキシン類などの有害物質の外部への漏れを防止しながら、可動とした底板を燃焼室内まで移動させるとともに、この底板上に載置されている被焼却物をプッシャによって燃焼室内に押し込むことによって、被焼却物を燃焼室内まで確実に投入することができ、これによって、被焼却物が高温となる投入口の周縁に接触することを防止する。
【０００７】
この場合において、投入口を覆う筒状のフード部の側方に被焼却物を移送するコンベアを並設するとともに、該コンベア上に載置されている被焼却物をフード部内に押し込むプッシャを設けることができる。
【０００８】
これにより、投入口を覆う筒状のフード部を介して行う被焼却物の投入作業を、人手を介することなく、安全に、かつ円滑に行うことができる。
【０００９】
【発明の実施の形態】
以下、本発明の焼却炉の被焼却物投入装置の実施の形態を図面に基づいて説明する。
【００１０】
図１〜図４に、本発明の焼却炉の被焼却物投入装置の一実施例を示す。
本発明に用いられる焼却炉は、燃焼室１の側部に開閉式の投入口２を備えるとともに、投入口２を覆う筒状のフード部３を備えている。
そして、この焼却炉は、フード部３の少なくとも一部の底板、具体的には、フード部３の底板４の下方に重なるように配設した底板４ａを可動として燃焼室１内まで移動可能に設けるとともに、このフード部３の底板４上に載置されている被焼却物Ｗを、燃焼室１内まで移動させた底板４ａを介して、燃焼室１内に押し込むプッシャ５を設けるようにしている。
【００１１】
燃焼室１は、縦の円筒状に形成されており、その周壁の一部には、角筒状の投入口２が略水平に形成されている。
投入口２の端部には扉体６が開閉可能に設けられており、この扉体６は、吊上用シリンダ７によりワイヤ８を介して吊り上げることができるようにされている。
なお、扉体６には、開閉動作を円滑に行うためのカウンターウエイト１５が、ワイヤ１６を介して取り付けられている。
【００１２】
フード部３は、投入口２に連続するように、投入口２と同形状の角筒状に形成されている。
このフード部３は、図２に示すように、側部に開口部９が形成されており、図３に示すように、フード部３の側方に並設した被焼却物Ｗを移送するコンベア１０（特に限定されるものではないが、本実施例においては、ローラコンベア）により、開口部９の側方まで搬送されてきた被焼却物Ｗを、側面扉体を兼ねた横プッシャ１１を移動手段１４（特に限定されるものではないが、本実施例においては、ロッドレスシリンダ）によって移動操作することにより、フード部３内に押し込むことができるようにしている。
この場合、フード部３の開口部９は、側面扉体を兼ねた横プッシャ１１により閉じることができるようにされている。
これにより、投入口２を覆う筒状のフード部３を介して行う被焼却物Ｗの投入作業を、人手を介することなく、安全に、かつ円滑に行うことができるものとなる。
【００１３】
フード部３の底板４の下方に重なるように配設した可動の底板４ａは、例えば、耐火性を備えた金属等の板材により形成されている。
この底板４ａは、本実施例では、フード部３の底板４の下方に重なるように配設されており、シリンダ１２により、投入口２の下端縁上をカバーするようにして、燃焼室１の内部まで瞬時に挿入され、また、被焼却物Ｗの投入が完了すれば直ちに元の位置に復帰できるようにされている。
このように、可動の底板４ａは、燃焼室１の内部に挿入されたときに、加熱され、被焼却物Ｗの合成樹脂等が溶融してこびりつかないように、挿入時間をできるだけ短縮することが望ましいが、さらに必要に応じて、可動の底板４ａに水冷機構等の冷却機構を備えるようにすることもできる。
なお、本実施例においては、可動の底板４ａに平板状のものを用いるようにしているが、これに限定されず、両側縁に側壁を備えたもの（断面コ字状のもの）や断面Ｖ字状のものを用いることもでき、本発明は、これらを排除しないものである。なお、このように、可動の底板の両側縁に側壁を備えたもの等を用いることによって、被焼却物Ｗの投入時に、被焼却物Ｗが底板の側縁から落下したり、底板の側縁から炎が回り込んで底板上に載置されている被焼却物Ｗに火がつくことを防止することができる。
【００１４】
プッシャ５は、フード部３の後部に配設されており、移動手段１３（特に限定されるものではないが、本実施例においては、ロッドレスシリンダ）によって、燃焼室１側に移動しながら、フード部３の底板４上に載置されている被焼却物Ｗを、燃焼室１内まで移動させた底板４ａを介して、燃焼室１内に押し込むことができるようにしている。
このプッシャ５は、図１に示すように、底板４ａが燃焼室１の内部まで挿入されるのと連動して、フード部３の後部から投入口２の位置まで瞬時に移動し、また、元の位置に復帰できるようにされている。
このように、プッシャ５は、投入口２の位置に移動したときに、加熱され、被焼却物Ｗの合成樹脂等が溶融してこびりつかないように、その時間をできるだけ短縮することが望ましいが、さらに必要に応じて、プッシャ５に水冷機構等の冷却機構を備えるようにすることもできる。
【００１５】
かくして、本実施例の焼却炉の被焼却物投入装置は、フード部３の少なくとも一部の底板４ａを可動として燃焼室１内まで移動可能に設けるとともに、この底板４，４ａ上に載置されている被焼却物Ｗを燃焼室１内に押し込むプッシャ５を設けたことから、ダイオキシン類などの有害物質の外部への漏れを防止しながら、可動とした底板４ａを燃焼室１内まで移動させるとともに、この底板４，４ａ上に載置されている被焼却物Ｗをプッシャ５によって燃焼室１内に押し込むことによって、被焼却物Ｗを燃焼室１内まで確実に投入することができる。
【００１６】
以上、本発明の焼却炉の被焼却物投入装置について、その一実施例を説明したが、本発明の焼却炉の被焼却物投入装置の構成は、この実施例の記載に限定されるものではなく、その趣旨を逸脱しない範囲において適宜に変更することが可能である。
【００１７】
【発明の効果】
本発明の焼却炉の被焼却物投入装置によれば、フード部の少なくとも一部の底板を可動として燃焼室内まで移動可能に設けるとともに、該底板上に載置されている被焼却物を燃焼室内に押し込むプッシャを設けたことから、ダイオキシン類などの有害物質の外部への漏れを防止しながら、可動とした底板を燃焼室内まで移動させるとともに、この底板上に載置されている被焼却物をプッシャによって燃焼室内に押し込むことによって、被焼却物を燃焼室内まで確実に投入することができ、これによって、被焼却物が高温となる投入口の周縁に接触することを防止し、合成樹脂等が溶融し、投入口の周縁にこびりついて焦げ、投入口の扉体の開閉動作に支障を来したり、合成樹脂製の袋が破れ、内容物がフード部に散乱する等の問題を解消することができる。
【００１８】
また、投入口を覆う筒状のフード部の側方に被焼却物を移送するコンベアを並設するとともに、該コンベア上に載置されている被焼却物をフード部内に押し込むプッシャを設けることにより、投入口を覆う筒状のフード部を介して行う被焼却物の投入作業を、人手を介することなく、安全に、かつ円滑に行うことができる。
【図面の簡単な説明】
【図１】本発明の焼却炉の被焼却物投入装置の一実施例を示す断面側面図である。
【図２】同実施例の焼却炉の被焼却物投入装置を示す断面平面図である。
【図３】同焼却炉の被焼却物投入装置を示す背面図である。
【図４】同焼却炉の被焼却物投入装置を示す平面図である。
【符号の説明】
１    燃焼室
２    投入口
３    フード部
４    底板
４ａ  底板（可動）
５    プッシャ
６    扉体
７    吊上用シリンダ
８    ワイヤ
９    開口部
１０  ローラコンベア
１１  横プッシャ（側面扉体）
１２  シリンダ
１３  ロッドレスシリンダ（移動手段）
１４  ロッドレスシリンダ（移動手段）
１５  カウンターウエイト
１６  ワイヤ
【図１】
2004150678.tif 000003
【図２】
2004150678.tif 000004
【図３】
2004150678.tif 000005
【図４】
2004150678.tif 000006